(57)【要約】【課題】  高圧ケーブルの下入線を容易に実施できると共に基台の再使用も可能とする既製のキュービクル基台の設置方法を提供する。【解決手段】  基台を設置する設置面４を周囲基準面より略１０ｃｍ掘り下げて水平に転圧して形成した後、基台１の寸法に合わせて作製された墨出し板を用いて基台設置位置を墨出しした。次に、墨出しした基台位置の４隅をライナープレートを用いて更に水平にし、その上から基台１を密着させるためのインスタントセメント５を敷設した。そして、敷設したインスタントセメント５の上に予め作製しておいた基台１を配置した。基台１は、コンクリート製で、縦に貫設され、下方に拡開されたケーブル挿通孔２を有し、配置する際に設置面４に立ち上げられた高圧ケーブル３をケーブル挿通孔２に挿通した。【選択図】  図１
2005120798.tif 000002
【特許請求の範囲】
【請求項１】
縦に貫設されると共に下方が拡開されて成る高圧ケーブルを挿通するためのケーブル挿通孔を備えたコンクリート製キュービクル基台の設置方法であって、
基台設置部を掘り下げて水平に転圧する設置面形成工程と、
形成された設置面に前記基台を密着させるためのインスタントセメントを敷設する密着材敷設工程と、
敷設したインスタントセメントの上に予め作製しておいた前記基台を配置する基台配置工程と、を有することを特徴とするキュービクル基台の設置方法。
【請求項２】
設置面形成工程の掘り下げ量が、周囲基準面から１５ｃｍ以内である請求項１記載のキュービクル基台の設置方法。
【請求項３】
基台は、下面に高圧ケーブルを配設可能な隙間を有し、ケーブル挿通孔は前記隙間を設けた部位に設けられて成る請求項１又は２記載のキュービクル基台の設置方法。
【請求項４】
設置面形成工程と密着材敷設工程の間に、基台寸法に合わせて作製され、ケーブル挿通孔に合致した開口部を備えた墨出し板を用いて基台設置位置を墨出しする墨出し工程を有する請求項１乃至３の何れかに記載のキュービクル基台の設置方法。
【発明の詳細な説明】
【技術分野】
【０００１】
本発明は、受電設備を収容するキュービクルを設置する際に、地面に配置してキュービクルを載置固定するためのキュービクル基台の設置方法に関する。
【背景技術】
【０００２】
受電設備を収容する設備、所謂キュービクルを設置する場合、従来はキュービクルを設置場所にまずキュービクルを載置固定するためのコンクリート製基台を形成し、その基台上にボルト止め等してキュービクルを載置固定する工法が広く採用されていた。
しかし、この基台の作製はキュービクルの底面形状に合わせた型枠を配置し、そこにコンクリートを流し込んで形成するため、作製を開始してからキュービクルが載置可能になるまで数日を要する。一方で、受電設備は、工場や工事現場等において、全ての電気設備に電力を供給するための基幹を成す設備であるため、スピーディーな設置が要求されている。ところが、上述するように、基台はキュービクル設置現場で作製され、コンクリートを流し込むため、工期に時間が掛かりキュービクル設置の工期短縮の障害となっていた。
そのようなことから、例えば特許文献１に開示されているように、キュービクル基台として既製のコンクリート製基礎主体を使用し、予め工場等で基台を作製しておき、キュービクルを設置する際にクレーン等を用いて運搬し設置することで、基台作製時間を短縮し、キュービクル施工期間を短縮する工法が提案されている。
【０００３】
【特許文献１】特開平８−１３５１３号公報
【発明の開示】
【発明が解決しようとする課題】
【０００４】
上記特許文献１に示す工法の場合、基台を予め作製しておくことで、大幅な工期の短縮が可能となる。しかし、ここで使用される基台は基本的に枠体であり、大きな開口部を有しているため、強度を維持するためには高さを大きくする必要があった。そのために、設置する地面を深く根切り作業をしなければならなかったし、所定位置に基台配置後、内部に土砂を入れて突き固めたり、モルタル層を形成する作業等が必要であり、基台配置前後の作業が面倒であった。但し、キュービクル内への高圧ケーブルの引き込みは下入線が一般的であるため、基台には大なり小なりケーブル引き込みのための開口部は必要である。
また、使用を終了したキュービクルの処分を考えた場合、環境への配慮から可能な限りリサイクルできる形態が望ましいが、上記工法による基台はリサイクルが難しかった。
【０００５】
そこで、基台を予め作製しておくキュービクル基台の設置方法において、上述するような面倒な工事を無くす為に、開口部を最小限の大きさとして、ケーブルを挿通するケーブル挿通孔のみ設けて厚みを抑え、単なる立方体形状に近い形状とすれば、更に基台設置作業の簡易化が可能となるし、リサイクル使用も可能となる。比較的小型のキュービクルの場合、基台の開口部を小さくしても運搬可能な重量に抑えることができるため、このような基台が有効に利用できると考えられる。ところが、その場合、次のような問題があった。
地面に形成された高圧ケーブルをキュービクルへ引き込むためのケーブル立ち上げ孔の位置は、所定位置に精度良く施工するのが難しくまちまちであるため、基台と地面の双方の孔の位置が合わない場合は、地面のケーブル立ち上げ孔の位置を変更する必要が生ずる。しかし、高圧ケーブルは地中埋設やスラブ立ち上げで施工されているため、立ち上げ位置の変更が難しい。
このようなことから、開口部を小さくして、設置作業も簡易化できる基台を予め作製しておく方法を採用するのは難しかった。
【０００６】
そこで、本発明はこのような問題点に鑑み、予め作製しておいた基台を設置する設置方法において、高圧ケーブルの下入線を容易に実施できると共に基台の再使用も可能とするキュービクル基台の設置方法を提供することを目的とする。
【課題を解決するための手段】
【０００７】
上記課題を解決するため、請求項１の発明に係るキュービクル基台の設置方法は、縦に貫設されると共に下方が拡開されて成る高圧ケーブルを挿通するためのケーブル挿通孔を備えたコンクリート製キュービクル基台の設置方法であって、基台設置部を掘り下げて水平に転圧する設置面形成工程と、形成された設置面に前記基台を密着させるためのインスタントセメントを敷設する密着材敷設工程と、敷設したインスタントセメントの上に予め作製しておいた前記基台を配置する基台配置工程と、を有することをを特徴とする。
この発明によれば、基台はインスタントセメントにより地面に密着しているだけなので、取り外すことが可能であり、基台の再使用が可能となる。また、ケーブル挿通孔は比較的小さい孔で済むので、設置後に基台内をモルタルで開口部を埋める等の作業が必要ない。更に、基台のケーブル挿通孔の下部は拡開されて形成されているので、高圧ケーブル立ち上げ位置が基台のケーブル挿通孔位置からずれていても、ケーブル立ち上げ位置を変更することなく挿通でき、基台を予め作製しておいても無理なく高圧ケーブルの下入線が実施できる。
【０００８】
請求項２の発明は、請求項１記載の発明において、設置面形成工程の掘り下げ量が、周囲基準面から１５ｃｍ以内であることを特徴とする。
この発明によれば、基台設置面が浅いので簡易な作業で設置できるし、基台の取り外しも容易に実施でき、再使用する場合であっても特別な作業を必要としない。基台の設けたケーブル挿通孔は小さくて済むため、基台をブロック状に作製でき、埋設部が浅くても良好に設置できる。
【０００９】
請求項３の発明は、請求項１又は２に記載の発明において、基台は、下面に高圧ケーブルを配設可能な隙間を有し、ケーブル挿通孔は前記隙間を設けた部位に設けられて成ることを特徴とする。
この発明によれば、地面に形成された高圧ケーブル立ち上げ位置が基台のケーブル挿通孔位置から大きくずれていても、ケーブルを基台の隙間に配設して容易に高圧ケーブルをケーブル挿通孔に挿通できるので、ケーブル立ち上げ位置に拘わらず基台を所定位置に容易に設置できる。
【００１０】
請求項４の発明は、請求項１乃至３の何れかに記載の発明において、設置面形成工程と密着材敷設工程の間に、基台寸法に合わせて作製され、ケーブル挿通孔に合致した開口部を備えた墨出し板を用いて基台設置位置を墨出しする墨出し工程を有することを特徴とする。
この発明によれば、高圧ケーブルを立ち上げた状態でも基台設置位置を容易に墨出しでき、基台を精度良く設置できる。
【発明の効果】
【００１１】
このように、本発明によれば、基台はインスタントセメントにより地面に密着しているだけだし、基台設置面は周囲の基準面より僅かに低くするだけなので、容易に取り外すことができ、再使用が可能となる。また、ケーブル挿通孔は比較的小さい孔で済むので、設置後に基台内をモルタルで埋める等の作業が必要ないし、基台はケーブル挿通孔の下部が拡開されているので、地面の高圧ケーブル立ち上げ位置が基台のケーブル挿通孔位置からずれていても、ケーブル立ち上げ位置を変更することなく挿通でき、基台を予め作製しておいても無理なく高圧ケーブルの下入線が実施できる。
【発明を実施するための最良の形態】
【００１２】
以下、本発明を具体化した実施の形態を、図面に基づいて詳細に説明する。図１は本発明に係るキュービクル基台の設置方法により設置されたキュービクル基台（以下、単に基台とする）を示し、（ａ）は平面図、（ｂ）はＡ−Ａ線断面図を示している。また、図２は基台の斜視図を示している。図において、１は基台、２は高圧ケーブルを挿通するケーブル挿通孔、３は高圧ケーブル、４は地面を掘り下げて転圧形成した設置面、５は設置面上に敷設されたインスタントセメントである。
【００１３】
図に示すように、基台１は四角形ブロック形状であり、ケーブル挿通孔２は長方形状の開口部を有して下方に拡開されて形成されている。また、左右下部に前後に伸びた脚部７を有し、その脚部７の間に高圧ケーブルを配設可能な隙間８が形成されている。そして、ケーブル挿通孔２に高圧ケーブル３が挿通され、下入線を実施している。
尚、図１は基台１を載置しただけの状態を示し、最終的には周囲の掘り下げられた設置面４は周囲の基準面に合わせて埋め戻される。また、図２において、９はネジ孔であり、吊りボルトやアンカーボルトの取り付けに使用される。
【００１４】
次に、基台設置手順を図３の手順説明図に基づいて具体的に説明する。図３は基台を地面を掘り下げ形成した基台設置部に載置するまでの工事手順を示している。図３（ａ）は設置面形成工程を示し、転圧して平坦にしたキュービクル設置場所、即ち基台設置面４を示している。３ａはフレキ管、１１はフレキ管３ａ先端に被せられたキャップを示し、フレキ管３ａは埋設する高圧ケーブル３を保護するために使用され、地中に埋設して配設され、所定位置の地表に略垂直に立ち上げられている。また、設置面４は基台１より余裕を持って広く形成され、周囲の基準面より略１０ｃｍ掘り下げて形成されている。
このように、まず、キュービクル設置場所は僅かに掘り下げて形成され、掘り下げて形成された設置面４は、転圧して平坦にされる。
【００１５】
図３（ｂ）は、墨出し工程を示している。墨出しは、墨出し板１２を用いて行われ、基台１の設置位置が正確に決定される。墨出し板１２は、設置する基台の形状に合わせて形成され、幅が基台と同一寸法で形成され、奥行きは２分の１で形成されている。また、基台のケーブル挿通孔位置に合わせて同一形状の開口部１２ａが形成されている。
このように、墨出し板は開口部を有しているので、ケーブルが立ち上げられていても、転圧後に基台設置位置を容易に而も高精度で決定できる。
【００１６】
図３（ｃ）は、水平出し及び密着材敷設工程を示している。水平出しは、墨出しした基台設置部の４隅を高精度で水平にするために、必要に応じてライナープレート１３を用いて実施される。ライナープレートは、墨出しした基台隅部に配置される１０ｃｍ角程度の板材であり、例えば２ｍｍ、３ｍｍ、５ｍｍ、１０ｍｍの４種類の厚みを用意しておけば、良好な水平出しが実施できる。水平出しが終了したら、ライナープレート１３を配置することで形成された段差部や基台１が地面に接触する部位にインスタントセメント５が敷設される。このインスタントセメント敷設により、基台載置の前工程が終了する。
【００１７】
その後、基台１がクレーンで吊り上げられて設置され、基台１を下ろす際に、設置面に立ち上げられている高圧ケーブル３（或いはフレキ管３ａ）がケーブル挿通孔２に挿通される。こうして、基台の配置操作は終了し、後工程の作業に入る。後工程では、基台上にキュービクルが設置されると共に、基台周囲の掘り下げ部が基準面に合わせて埋め戻される。
尚、敷設したインスタントセメント５は粉状であるが、土に含まれる水分により自然に固化するので、基台１は、設置面４に載置するだけで、このインスタントセメント５の作用により設置面に密着し、ずれたりすることがない。
【００１８】
このように、基台は所定位置に精度良く設置でき、インスタントセメントにより地面に密着しているだけであるし、設置面は、例えば１０ｃｍと掘り下げ量が僅かなので、基台を取り外す際、良好な状態で取り外すことが可能となる。従って、良好な状態で再使用でき、再使用に際して特別な作業を必要としない。
また、ケーブル挿通孔は比較的小さい孔で済むので、設置後に基台内をモルタルで埋める等の作業が必要ないし、基台載置後の埋め戻しも簡単に済むので、基台設置工事全体も簡易化できる。  
そして、基台はケーブル挿通孔の下部が拡開されているので、地面の高圧ケーブル立ち上げ位置が基台のケーブル挿通孔位置からずれていても、ケーブル立ち上げ位置を変更することなく挿通でき、基台を予め作製しておいても無理なく高圧ケーブルの下入線が実施できる。
また、基台底部に隙間を設ければ、設置面に設けた高圧ケーブル立ち上げ位置が基台のケーブル挿通孔位置から大きくずれていても、ケーブルを基台の隙間に配設して容易に高圧ケーブルをケーブル挿通孔に挿通できるので、ケーブル立ち上げ位置に拘わらず基台を所定位置に容易に設置できる。また、基台形状に合わせて作製した墨出し板を用いることで、基台設置位置を容易に墨出しでき、基台を精度良く設置できる。
【００１９】
尚、上記実施形態では、基台下部に隙間を設けているため、基準面より略１０ｃｍ掘り下げて基台設置面を形成しているが、下部に隙間がなければ更に浅くできる。また、この基台設置面は深くても１５ｃｍ程度掘り下げれば十分で、基台は略立方体形状なので浅くても安定した設置状態を保つことができる。
【図面の簡単な説明】
【００２０】
【図１】本発明に係るキュービクル基台の設置方法で設置された基台の一例を示し、（ａ）は設置した状態の平面図、（ｂ）はＡ−Ａ線断面図である。
【図２】基台の一例を示す斜視図である。
【図３】キュービクル基台を基台設置部に載置するまでの工事手順示し、（ａ）は地面形成工程、（ｂ）は墨出し工程、（ｃ）は水平出し及び密着材敷設工程を示している。
【符号の説明】
【００２１】
１・・基台、２・・ケーブル挿通孔、３・・高圧ケーブル、４・・設置面、５・・インスタントセメント、７・・脚部、８・・隙間、１２・・墨出し板。
【図１】
2005120798.tif 000003
【図２】
2005120798.tif 000004
【図３】
2005120798.tif 000005